(57)【要約】      （修正有）【課題】文字をドット表示器に表示する場合に多数の発光素子が同一タイミングで通電されることを極力抑制して、この表示装置内にドット表示器と同時に組込まれているスピーカの音声に雑音が入ることを防止する。【解決手段】表示すべき文字を縦型文字と横型文字とに分類し、縦型文字に対しては、ドット表示器１２のＮ行、Ｍ列のドット（発光素子３１）をオン／オフ制御する順序を、最初に縦方向（行）（Ｙ＝０，１，２，…）を指定し、次に指定された行に所属する全部（Ｍ個）の発光素子３２を同時にオン／オフ制御する縦方向優先表示を採用している。また、横型文字に対しては、横方向優先表示を採用している。【選択図】図１
2007084234.tif 000002
【特許請求の範囲】
【請求項１】
エレベータシステムが組込まれた建屋の各階のエレベータホール、及び各階を上下移動するかご内に設けられ、エレベータ制御装置から伝送路を介して入力されたエレベータの運行状況を示す文字を表示するエレベータの表示装置において、
複数の発光素子がＮ行、Ｍ列のマトリックス状に配列され、横方向及び縦方向にそれぞれＭ個の端子、Ｎ個の端子が配列されたドット表示器と、
各文字の前記ドット表示器の各発光素子に対応するドットのオン／オフ状態で示した表示パターンを記憶する表示パターンメモリと、
前記表示すべき各文字を縦方向の字画が多い縦型文字と横方向の字画が多い横型文字とに分類する文字型分類手段と、
前記入力された文字が前記文字型分類手段にて横型文字に分類されたとき、前記横方向のＭ個の各端子を順番に一定時間ずつオンしていくとともに、オンされた状態の横方向の端子における当該文字の表示パターンの縦方向のＮ個のドットの各オン／オフ状態を、縦方向に配列されたＮ個の各端子に同時に印加していく横方向優先表示手段と、
前記入力された文字が前記文字型分類手段にて縦型文字に分類されたとき、前記縦方向のＮ個の各端子を順番に一定時間ずつオンしていくとともに、オンされた状態の縦方向の端子における当該文字の表示パターンの横方向のＭ個のドットの各オン／オフ状態を、横方向に配列されたＭ個の各端子に同時に印加していく縦方向優先表示手段と
を備えたことを特徴とするエレベータの表示装置。
【請求項２】
エレベータシステムが組込まれた建屋の各階のエレベータホール、及び各階を上下移動するかご内に設けられ、エレベータ制御装置から伝送路を介して入力されたエレベータの運行状況を示す文字を表示するエレベータの表示装置において、
複数の発光素子がＮ行、Ｍ列のマトリックス状に配列され、横方向及び縦方向にそれぞれＭ個の端子、Ｎ個の端子が配列されたドット表示器と、
各文字の前記ドット表示器の各発光素子に対応するドットのオン／オフ状態で示した表示パターンを記憶する表示パターンメモリと、
前記表示すべき各文字を縦方向の字画が多い縦型文字と横方向の字画が多い横型文字とに分類する文字型分類手段と、
前記入力された文字が前記文字型分類手段にて横型文字に分類されたとき、前記横方向のＭ個の各端子を順番に一定時間ずつオンしていくとともに、オンされた状態の横方向の端子における当該文字の表示パターンの縦方向のＮ個のドットの各オン／オフ状態を、縦方向に配列されたＮ個の各端子に同時に印加していく通常表示手段と、
前記入力された文字が前記文字型分類手段にて縦型文字に分類されたとき、前記横方向のＭ個の各端子を順番に一定時間ずつオンしていくとともに、オンされた状態の横方向の端子における当該文字の表示パターンの縦方向のＮ／２個のドットの各オン／オフ状態を、縦方向に配列されたＮ／２個の各端子に同時に印加し、その後前記オンされた状態の同一端子における当該文字の表示パターンの縦方向の残りＮ／２個のドットの各オン／オフ状態を、縦方向に配列された残りＮ／２個の各端子に同時に印加していく縦方向分割表示手段と
を備えたことを特徴とするエレベータの表示装置。
【請求項３】
エレベータシステムが組込まれた建屋の各階のエレベータホール、及び各階を上下移動するかご内に設けられ、エレベータ制御装置から伝送路を介して入力されたエレベータの運行状況を示す文字を表示するエレベータの表示装置において、
複数の発光素子がＮ行、Ｍ列のマトリックス状に配列され、横方向及び縦方向にそれぞれＭ個の端子、Ｎ個の端子が配列されたドット表示器と、
各文字の前記ドット表示器の各発光素子に対応するドットのオン／オフ状態で示した表示パターンを記憶する表示パターンメモリと、
前記表示すべき各文字を縦方向の字画が多い縦型文字と横方向の字画が多い横型文字とに分類する文字型分類手段と、
前記入力された文字が前記文字型分類手段にて縦型文字に分類されたとき、前記縦方向のＮ個の各端子を順番に一定時間ずつオンしていくとともに、オンされた状態の縦方向の端子における当該文字の表示パターンの横方向のＭ個のドットの各オン／オフ状態を、横方向に配列されたＭ個の各端子に同時に印加していく通常表示手段と、
前記入力された文字が前記文字型分類手段にて横型文字に分類されたとき、前記縦方向のＮ個の各端子を順番に一定時間ずつオンしていくとともに、オンされた状態の縦方向の端子における当該文字の表示パターンの横方向のＭ／２個のドットの各オン／オフ状態を、横方向に配列されたＭ／２個の各端子に同時に印加し、その後前記オンされた状態の同一端子における当該文字の表示パターンの横方向の残りＭ／２個のドットの各オン／オフ状態を、横方向に配列された残りＭ／２個の各端子に同時に印加していく横方向分割表示手段と
を備えたことを特徴とするエレベータの表示装置。
【請求項４】
前記ドット表示器における各発光素子の点灯時間を表示すべき文字の文字型に応じて変更する点灯時間変更手段を備えたことを特徴とする請求項１から３のいずれか１項記載のエレベータの表示装置。
【請求項５】
前記ドット表示器における各発光素子の点灯周期を表示すべき文字の文字型に応じて変更する点灯周期変更手段を備えたことを特徴とする請求項１から４のいずれか１項記載のエレベータの表示装置。
【発明の詳細な説明】
【技術分野】
【０００１】
本発明は、エレベータシステムが組込まれた建屋の各階のエレベータホール及び各階を上下移動するかご内に設けられたエレベータの運行状況を表示するエレベータの表示装置に関する。
【背景技術】
【０００２】
図１５は、建屋に組込まれているエレベータシステムの概略構成図である。建屋のエレベータ昇降路１の上側の機械室内に、かご２をロープ３を介して上下移動させる巻上機４、及び制御盤５が配設されている。制御盤５内には電源装置６及びエレベータを運行制御するエレベータ制御装置７が設けられている。
【０００３】
建屋の各階のエレベータホールの壁には、乗場呼び釦８とエレベータの運行状況を表示する表示装置９とが取付けられている。この表示装置９には、乗場呼びの登録、かごの現在位置、かごの接近等がエレベータ制御装置７の伝送線１６を介した表示指示にて表示される。
【０００４】
かご２内には、かご呼び釦１０と表示装置１１とが設けられている。この表示装置１１内には、図１６に示すように、かごの現在位置の階（数字）や各種の案内文字を表示するドット表示器１２、当該かご２の移動方向表示器１３等が設けられている。さらに、この表示装置１１には、緊急時の指示や各種の案内を音声出力するためのスピーカ１４が設けられている。この表示装置１１における表示内容、音声内容はエレベータ制御装置７から伝送線１５を介して指示される。なお、各表示装置９、１１には、電源装置６から電源線１７、１８を介して駆動電圧Ｖccが供給される。
【０００５】
かご２内に設けられた表示装置１１は、例えば、図１７に示すように構成されている。なお、各エレベータホールに設けられた各表示装置９の構成も図１７に示す構成に準じるので、説明を省略する。
【０００６】
例えばＣＰＵ等の小型コンピュータで構成された出力制御部２０の入力端子２１にエレベータ制御装置７から伝送線１５を介して各種の指示が入力される。この出力制御部２０内には、音声出力制御部２２、方向表示器制御部２３、文字表示制御部２４、表示パターンメモリ２５、表示パターンバッファ２６が設けられている。この出力制御部２０には、電源線１８を介して駆動電圧Ｖccが供給される。
【０００７】
音声出力制御部２２は、エレベータ制御装置７から、メッセージを指定した音声出力指示が入力されると、出力端子２７からメッセージの各文字を音声合成回路２８へ送出する。音声合成回路２８は、各文字を音声信号に変換して、増幅器２９で増幅して、スピーカ１４で音声出力する。音声合成回路２８及び増幅器２９には、電源線１８を介して駆動電圧Ｖccが供給される。
【０００８】
方向表示器制御部２３は、エレベータ制御装置７からかご２の移動方向の表示指令が入力されると、出力端子３０から移動方向のスイッチング素子３１を通電制御して、移動方向の移動方向表示器１３を点灯する。
【０００９】
ドット表示器１２においては、ＬＥＤからなる７７個の発光素子３２が７行（Ｎ＝７）、１１列（Ｍ＝１１）のマトリックス状に配列され、このドット表示器１２の横方向の１１個（＝Ｍ）の各端子３３に印加される駆動電圧Ｖdd（＝０ｖ）をオン／オフ制御する１１個のスイッチング素子３４ａからなる横方向ドライバ３４が設けられている。横方向ドライバ３４の各スイッチング素子３４ａに対するオン／オフ指令は、出力制御部２０のＲ0〜Ｒ10の出力端子３５から出力される。
【００１０】
一方、ドット表示器１２の縦方向の７個（＝Ｎ）の各端子３６に電流制限抵抗３７を介して印加される駆動電圧Ｖcc（＝５ｖ）をオン／オフ制御する７個のスイッチング素子３８ａからなる縦方向ドライバ３８が設けられている。縦方向ドライバ３８の各スイッチング素子３８ａに対するオン／オフ指令は、出力制御部２０のＱ0〜Ｑ6の出力端子３９から出力される。すなわち、オン状態の端子３３とオン状態の端子３６の交点に位置する発光素子３２（ドット）が点灯する。
【００１１】
さらに、出力制御部２０には、タイマ割込みを生成するタイマ回路４０が接続されている。
【００１２】
表示パターンメモリ２５内には、図１８に示すように、ドット表示器１２に表示すべき文字の文字パターンを７行（Ｎ＝７）、１１列（Ｍ＝１１）の７７個のドット４１のオン／オフ状態のデータ（Ｄ00〜Ｄ100、Ｄ01〜Ｄ101、…、ＤXY、…、Ｄ06〜Ｄ106）で示した表示パターン４２が記憶されている。例えば、図１９（ａ）は「１」の表示パターン４２を示し、図１９（ｂ）は「７」の表示パターン４２を示し、図１９（ｃ）は「２」の表示パターン４２を示す。
【００１３】
表示中パターンバッファ２６は、エレベータ制御装置７から入力された文字表示指示に含まれる１つ又は複数の文字における現在ドット表示器１２に表示中文字の１つの表示パターン４２が記憶される。
【００１４】
そして、出力制御部２０の文字表示制御部２４は、エレベータ制御装置７から伝送線１５を介して、１つ又は複数の文字を指定した文字表示指示が入力端子２１に入力すると、入力された各文字を表示パターンメモリ２５を用いて表示パターン４２に変換して、順次、表示中パターンバッファ２６へ書込んでいく。
【００１５】
そして、一般に、文字表示制御部２４は、ドット表示器１２に対して、図２０の流れ図に従って文字表示制御を行う。タイマ回路４０から、表示パターン４２を構成する横方向の１１個のドット（発光素子３２）の、図２１（ａ）に示す、点灯周期ＴSのタイマ割込みが入力すると（ステップＳ１）、エレベータ制御装置７から新たな文字の表示指令（表示文字変更）が入力されたか否かを調べる。新たな文字の表示指令（表示文字変更）が入力されると（Ｓ２）、表示パターンバッファ２６に記憶されている表示パターン４２を新たな文字の表示パターン４２に更新する（Ｓ３）。そして、ドット表示器１２の横方向の１１個（＝Ｍ）の各端子３３を特定する横方向ポインタＸを左端の端子３３を示すＸ＝０に初期化する（Ｓ４）。
【００１６】
そして、横方向ドライバ３４の左からＸ番（ＲX）のスイッチング素子３４ａのみを導通（オン）する信号を出力端子３５から横方向ドライバ３４へ送出する（Ｓ５）。次に、表示中パターンバッファ２６に記憶されている表示パターン４２おけるＸ列の縦方向の７つのドット４１のオン／オフ状態のデータＤX0〜ＤX6を読出す（Ｓ６）。そして、縦方向ドライバ３８の各端子３６に接続された各スイッチング素子３８ａ（Ｙ0〜Ｙ6）に読出した各オン／オフ状態のデータＤX0〜ＤX6をＱ0〜Ｑ6の出力端子３９に設定して、出力する（Ｓ７）。その結果、ドット表示器１２のＸ列の７個の発光素子３２（ドット４１）が表示パターン４２に応じて点灯／消灯制御される。
【００１７】
そして、図２１（ａ）に示す、点灯時間Ｔ1が経過すると（Ｓ８）、横方向ドライバ３４及び縦方向ドライバ３８をオフして、点灯中の全ての発光素子３２（ドット４１）を消灯して（Ｓ９）、Ｓ１へ戻り、点灯周期ＴSのタイマ割込みが入力されるのを待つ。
【００１８】
また、Ｓ２において、エレベータ制御装置７から新たな文字の表示指令（表示文字変更）が入力されていないと、表示パターンバッファ２６に記憶されている表示パターン４２を継続して表示すると判断して、横方向ポインタＸを更新（Ｘ＝Ｘ＋１）する（Ｓ１０）。更新後の横方向ポインタＸが右端の端子３３を示す最大値（Ｘ＝１０）を超えていなければ（Ｓ１１）、Ｓ５にて、横方向ドライバ３４の左から更新後のＸ番（ＲX）のスイッチング素子３４ａのみを導通（オン）する信号を出力端子３５から横方向ドライバ３４へ送出する。
【００１９】
更新後の横方向ポインタＸが最大値（Ｘ＝１０）を超えていれば、Ｓ４にて、横方向ポインタＸを左端の端子３３を示すＸ＝０に初期化する。
【００２０】
図２１（ｃ）は、表示パターンバッファ２６に記憶されている１つの文字の表示パターン４２を、７行（Ｎ＝７）、１１列（Ｍ＝１１）のドット表示器１２で表示した場合における各ドット（発光素子３１）の点灯／消灯のタイムチャートを示す。また、図２１（ａ）はドット表示器１２に電源線１８から供給される電力における電流の電流変動波形を示し、図２１（ｂ）はドット表示器１２に電源線１８から供給される電力における電圧の電圧変動波形を示す。
【００２１】
図示するように、各発光素子３１は、点灯周期ＴS、点灯時間Ｔ1、消灯時間Ｔ2（＝ＴS―Ｔ1）で順番に点灯されているので、横方向のドット数（発光素子数）である１１回点灯される１文字はＴ0（＝Ｔ1×１１）の時間（１文字表示期間）で表示される。
【００２２】
このように、横方向ドライバ３４及び縦方向ドライバ３８で、ドット表示器１２のマトリックス状に配列された各発光素子３２を点灯制御することにより、エレベータ制御装置７から指示された文字をかご２内に設けられた表示装置１１のドット表示器１２に表示可能である。
【００２３】
なお、エレベータ制御装置７から指示された文字をかご２内に設けられた表示装置に表示する技術の一例が特許文献１に記載されている。
【特許文献１】特公平３−１４７４３号公報
【発明の開示】
【発明が解決しようとする課題】
【００２４】
しかしながら上述したエレベータの表示装置においてもまだ改良すべき次のような課題があった。
【００２５】
すなわち、エレベータシステム全体の小型化の一環として、図１６に示すように、表示装置１１、９内にスピーカ１４を組込んでいる。
【００２６】
ここで、エレベータのかご２が１階に位置している状態においては、エレベータ制御装置７から「１」の文字の表示指令が表示装置１１へ送信され、図１９（ａ）に示すこの「１」の表示パターン４２がドット表示器１２に表示されたと想定する。この場合、横方向ポインタＸのＸ＝５に対応する縦方向の全ドット（Ｄ50〜Ｄ56）の点灯と上部と下部に３点（Ｄ41、Ｄ46、Ｄ76）の点灯箇所を有する。一方、横方向ポインタＸの０から３までと、７から１０までは、点灯表示がない。
【００２７】
また、図１９（ｂ）に示す「７」の表示パターン４２がドット表示器１２に表示された場合は、横方向ポインタＸのＸ＝６に対応する縦方向の全ドット（Ｄ60〜Ｄ66）の点灯と上部に4点（Ｄ30、Ｄ31、Ｄ40、Ｄ50）の点灯箇所を有する。一方、横方向ポインタＸの０から２までと、７から１０までは、点灯表示がない。
【００２８】
さらに、図１９（ｃ）に示す「２」の表示パターン４２がドット表示器１２に表示された場合は、横方向ポインタＸの３から７までが点灯箇所を持ち、横方向ポインタＸの０から２までと、８から１０までは、点灯表示がない。
【００２９】
図１９（ａ）の「１」の表示パターン４２がドット表示器１２に表示された時の、ドット表示器１２に電源線１８から供給される電力における電流の電流変動波形、及び電圧の電圧変動波形は前述した図２１（ａ）、（ｂ）に示されている。
【００３０】
図２１（ａ）、（ｂ）に示すように、横方向ポインタＸがＸ＝５の時点で、このＸ＝５に対応する縦方向の全ドット（Ｄ50〜Ｄ56）の７個の発光素子３２に電流が流れるので、電流変動波形に異常電流４３が含まれる。この電流変動波形に異常電流４３が含まれると、電圧の電圧変動波形においても、同一タイミングで、異常電圧降下４４が発生する。
【００３１】
点灯時に発光素子３２に流れる電流は数百ｍＡに達するが、１文字全体を表示するに要する時間Ｔ0に対しては１／１１であり、結果的にドット表示器１２に流れる電流は平均化され１発光素子３２当たりの電流では数ｍＡの平均電流値となる。
【００３２】
ところが、この電源線１８の電圧変動波形における異常電圧降下４４は、この表示装置１１内にスピーカ１４、増幅器２９、音声合成回路２８からなる音声システムが組込まれている場合、スピーカ１４より発生する音声にノイズ音が発生する問題がある。すなわち、ドット表示器１２に対するドット表示制御により発生する電圧変動により音声システムの基準電圧も変動し、Ｄ／Ａ変換時に電圧変動の周波数が合成され、可聴領域の周波数である場合にノイズ音として発生する。
【００３３】
図２２にスピーカ１４に入力される音声信号の時間変化特性を示す。この音声信号に、１つの文字の表示周期Ｔ0である一定周期で前記異常電圧降下４４に対応する雑音波形４５が含まれる。その結果、この雑音４５によってスピーカ１４から音声出力される案内が聞きづらいものとなってしまう。スピーカ１４、増幅器２９、音声合成回路２８からなる音声システムは、表示装置１１内で電源線１８から供給された共通の電源で駆動される。
【００３４】
この図２２に示す音声信号に現れる雑音波形４５の周期は、前述したように、ドット表示器１２に表示する１文字の表示期間Ｔ0である。この雑音４５波形に起因するノイズ音は周波数が高く、人に不快感を与える音となってしまう。この問題に対して何点かの対策があるが、対策することによる欠点も発生する。次に代表的な対策例を示す。
【００３５】
（ａ）  図２１（ｂ）に示す異常電圧降下４４の周期Ｔ0を人間の可聴領域から外し、音声に含まれるノイズ音を低減する。具体的には、ドット表示器１２に対する１文字の周期Ｔ0を変更する。しかし、この問題点は、例で示すような１つのＣＰＵからなる出力制御部２０で、エレベータ制御装置７に対する伝送処理とドット表示器１２に対するドット表示制御を行う場合には、タイマ回路４０によるタイマ割込みの時間的制約から伝送処理のタイミングがずれ、伝送エラーが発生する問題がある。また、出力制御部２０をドット表示制御用として独立させる方法もあるが、装置の小型化を妨げる問題となる。
【００３６】
（ｂ）  ドット表示器１２の電源と音声システムの電源を絶縁し、別電源によって電圧変動の影響を抑制する。この場合も表示装置１１の小型化の観点より装置内の電源回路が２系統となり問題となる。
【００３７】
（ｃ）  音声システムの電源供給路に、コンデンサ、インダクタンス、抵抗等からなるフィルタを介挿して、図２１（ｂ）に示す異常電圧降下４４の影響が音声システムに悪影響を与えなくする。しかしながら、この対策の問題点は前述した（ａ）、（ｂ）の対策に対する問題と同様、装置の小型化の問題と、フィルタ回路の経時変化による電圧変動の抑制効果の減衰により、音声に含まれるノイズ音が低減できない問題がある。
【００３８】
本発明はこのような事情に鑑みてなされたものであり、表示する文字のパターンに応じてドット表示器に対する表示制御を切換えることにより、ドット表示器に対する１文字に対する１表示周期内に異常電圧降下が発生することが極力抑制でき、もって、ドット表示器に対する文字表示とスピーカを用いた音声出力とを良好な状態を維持した状態で、装置全体の小型化を図ることができるエレベータの表示装置を提供することを目的とする。
【課題を解決するための手段】
【００３９】
上記課題を解消するために本発明は、エレベータシステムが組込まれた建屋の各階のエレベータホール、及び各階を上下移動するかご内に設けられ、エレベータ制御装置から伝送路を介して入力されたエレベータの運行状況を示す文字を表示するエレベータの表示装置において、複数の発光素子がＮ行、Ｍ列のマトリックス状に配列され、横方向及び縦方向にそれぞれＭ個の端子、Ｎ個の端子が配列されたドット表示器と、各文字のドット表示器の各発光素子に対応するドットのオン／オフ状態で示した表示パターンを記憶する表示パターンメモリと、表示すべき各文字を縦方向の字画が多い縦型文字と横方向の字画が多い横型文字とに分類する文字型分類手段と、入力された文字が文字型分類手段にて横型文字に分類されたとき、前記横方向のＭ個の各端子を順番に一定時間ずつオンしていくとともに、オンされた状態の横方向の端子における当該文字の表示パターンの縦方向のＮ個のドットの各オン／オフ状態を、縦方向に配列されたＮ個の各端子に同時に印加していく横方向優先表示手段と、入力された文字が文字型分類手段にて縦型文字に分類されたとき、縦方向のＮ個の各端子を順番に一定時間ずつオンしていくとともに、オンされた状態の縦方向の端子における当該文字の表示パターンの横方向のＭ個のドットの各オン／オフ状態を、横方向に配列されたＭ個の各端子に同時に印加していく縦方向優先表示手段とを備えている。
【００４０】
前述した、「１」の文字をドット表示器に表示した時に、図２１（ａ）における電流変動波形に異常電流４３が含まれ、図２１（ｂ）における電圧変動波形に異常電圧降下４４が含まれる原因は、表示制御過程において、同一タイミングで多数の発光素子３２が点灯（通電）されるからである。図１９（ａ）においては、横方向の５番の端子３３に対応する縦方向の７個の発光素子３２が同時に点灯（通電）される。したがって、表示対象の文字に対する１文字表示期間において、各発光素子３２の発光（通電）タイミングが分散されるのが望ましい。
【００４１】
そこで、本発明においては、表示すべき各文字を縦方向の字画が多い縦型文字と横方向の字画が多い横型文字とに分類して、例えば「２」のような横型文字の場合は、横方向の各端子を順番にオンしていく過程で、各端子に対応する縦方向の全部の発光素子に対するオン／オフ制御が実施される。この場合、縦方向の字画が少ないので、同一タイミングで点灯する発光素子の数が極端に大きくなることはなく分散される。
【００４２】
逆に、例えば「１」のような縦型文字の場合は、縦方向の各端子を順番にオンしていく過程で、各端子に対応する横方向の全部の発光素子に対するオン／オフ制御が実施される。この場合、横方向の字画が少ないので、同一タイミングで点灯する発光素子の数が極端に大きくなることはなく分散される。
【００４３】
このように、表示すべき文字のパターンに応じてドット表示器に対する横方向優先表示制御と縦方向表示制御とが選択実施される。したがって、常に、ドット表示器に対する１文字に対する１表示周期内に異常電流、異常電圧降下が発生することが極力抑制される。よって、ドット表示器に対する文字表示とスピーカを用いた音声出力とを良好な状態を維持した状態で、装置全体の小型化を図ることができる。
【００４４】
また、別の発明のエレベータの表示装置においては、前述した、表示すべき各文字を縦方向の字画が多い縦型文字と横方向の字画が多い横型文字とに分類する文字型分類手段を設けている。さらに、入力された文字が文字型分類手段にて横型文字に分類されたとき、横方向のＭ個の各端子を順番に一定時間ずつオンしていくとともに、オンされた状態の横方向の端子における当該文字の表示パターンの縦方向のＮ個のドットの各オン／オフ状態を、縦方向に配列されたＮ個の各端子に同時に印加していく通常表示手段と、入力された文字が文字型分類手段にて縦型文字に分類されたとき、横方向のＭ個の各端子を順番に一定時間ずつオンしていくとともに、オンされた状態の横方向の端子における当該文字の表示パターンの縦方向のＮ／２個のドットの各オン／オフ状態を、縦方向に配列されたＮ／２個の各端子に同時に印加し、その後前記オンされた状態の同一端子における当該文字の表示パターンの縦方向の残りＮ／２個のドットの各オン／オフ状態を、縦方向に配列された残りＮ／２個の各端子に同時に印加していく縦方向分割表示手段とを備えている。
【００４５】
このように、構成されたエレベータの表示装置においては、入力された文字が例えば「２」等の横型文字の場合、当該文字は、前述した、従来装置と同じく、すなわち上述した発明の横方向優先表示手段と同一の通常表示手段を用いてドット表示器に表示される。
【００４６】
また、入力された文字が例えば「１」等の縦型文字の場合も、当該文字は、上述した発明の横方向優先表示手段と同様に、横方向のＭ個の各端子を順番に一定時間ずつオンして行くが、オンされた状態の端子における当該文字の表示パターンの縦方向のＮ個のドットの各オン／オフ制御を、Ｎ／２個ずつ２回に分割して実施している。そして、２回に分割されたオン／オフ制御が終了すると、横方向の次の端子をオンする。このように制御することによっても、同一タイミングで点灯する発光素子の数を減少できる。
【００４７】
また、別の発明は、入力された文字が文字型分類手段にて縦型文字に分類されたとき、縦方向のＮ個の各端子を順番に一定時間ずつオンしていくとともに、オンされた状態の縦方向の端子における当該文字の表示パターンの横方向のＭ個のドットの各オン／オフ状態を、横方向に配列されたＭ個の各端子に同時に印加していく通常表示手段と、入力された文字が文字型分類手段にて横型文字に分類されたとき、縦方向のＮ個の各端子を順番に一定時間ずつオンしていくとともに、オンされた状態の縦方向の端子における当該文字の表示パターンの横方向のＭ／２個のドットの各オン／オフ状態を、横方向に配列されたＭ／２個の各端子に同時に印加し、その後前記オンされた状態の同一端子における当該文字の表示パターンの横方向の残りＭ／２個のドットの各オン／オフ状態を、横方向に配列された残りＭ／２個の各端子に同時に印加していく横方向分割表示手段とを備えている。
【００４８】
このように、構成されたエレベータの表示装置においては、入力された文字が例えば「１」等の縦型文字の場合、当該文字は、上述した発明の縦方向優先表示手段と同一の通常表示手を用いてドット表示器に表示される。
【００４９】
また、入力された文字が例えば「２」等の横型文字の場合も、当該文字は、上述した発明の縦方向優先表示手段と同様に、縦方向のＮ個の各端子を順番に一定時間ずつオンして行くが、オンされた状態の端子における当該文字の表示パターンの横方向のＭ個のドットの各オン／オフ制御を、Ｍ／２個ずつ２回に分割して実施している。そして、２回に分割されたオン／オフ制御が終了すると、縦方向の次の端子をオンする。このように制御することによっても、同一タイミングで点灯する発光素子の数を減少できる。
【００５０】
また、別の発明は、上記発明のエレベータの表示装置において、ドット表示器における各発光素子の点灯時間、点灯周期を表示すべき文字の文字型に応じて変更するようにしている。
【００５１】
すなわち、表示すべき文字のパターンに応じてドット表示器に対する横列優先表示又は縦列優先表示において、ドット表示器の発光素子の縦方向の数と横方向の数とが一致していない場合は、表示制御を変更した場合、単位時間当たりの発光光量が変化するので、点灯時間及び点灯周期を変更して、単位時間当たりの発光光量を調整する。縦１列に配列された発光素子を２回に分割して発光する場合においても、同様なことが言える。
【発明の効果】
【００５２】
本発明においては、表示すべき各文字を縦方向の字画が多い縦型文字と横方向の字画が多い横型文字とに分類して、文字型に応じてドット表示器に対する表示制御を切換えるようにしている。
【００５３】
したがって、ドット表示器に対する１文字に対する１表示周期内に異常電圧降下が発生することが極力抑制でき、もって、ドット表示器に対する文字表示とスピーカを用いた音声出力とを良好な状態を維持した状態で、装置全体の小型化を図ることができる。
【発明を実施するための最良の形態】
【００５４】
以下、本発明の各実施形態を図面を用いて説明する。
【００５５】
（第１実施形態）
図１は本発明の第１実施形態に係わるエレベータの表示装置の概略構成図である。図１７に示す従来のエレベータの表示装置１１と同一符号を付して重複する部分の詳細説明を説明する。また、エレベータシステムの全体図は図１５に示した従来のエレベータシステムとほほ同じであるので、説明を省略する。
【００５６】
図１の第１実施形態に係わるエレベータの表示装置５０は、エレベータのかご２内に設けられている。そして、例えばＣＰＵ等の小型コンピュータで構成された出力制御部２０の入力端子２１にエレベータ制御装置７から伝送線１５を介して各種の指示が入力される。この出力制御部２０内には、音声出力制御部２２、方向表示器制御部２３、文字表示制御部５１が設けられている。この出力制御部２０には、電源線１８を介して駆動電圧Ｖccが供給される。
【００５７】
音声出力制御部２２は、エレベータ制御装置７から、メッセージを指定した音声出力指示が入力されると、出力端子２７からメッセージの各文字を音声合成回路２８へ送出する。音声合成回路２８は、各文字を音声信号に変換して、増幅器２９で増幅して、スピーカ１４で音声出力する。音声合成回路２８及び増幅器２９には、電源線１８を介して駆動電圧Ｖccが供給される。
【００５８】
方向表示器制御部２３は、エレベータ制御装置７からかご２の移動方向の表示指令が入力されると、出力端子３０から移動方向のスイッチング素子３１を通電制御して、移動方向の移動方向表示器１３を点灯する。さらに、出力制御部２０には、タイマ割込みを生成するタイマ回路４０が接続されている。
【００５９】
ＬＥＤからなる７７個の発光素子３２が７行（Ｎ＝７）、１１列（Ｍ＝１１）のマトリックス状に配列されドット表示器１２においては、このドット表示器１２の横方向の１１個（＝Ｍ）の各端子３３に印加される駆動電圧Ｖdd（＝０ｖ）をオン／オフ制御する１１個のスイッチング素子３４ａからなる横方向ドライバ３４が設けられている。横方向ドライバ３４の各スイッチング素子３４ａに対するオン／オフ指令は、出力制御部２０のＲ0〜Ｒ10の出力端子３５から出力される。
【００６０】
ドット表示器１２の縦方向の７個（＝Ｎ）の各端子３６に電流制限抵抗３７を介して印加される駆動電圧Ｖcc（＝５ｖ）をオン／オフ制御する７個のスイッチング素子３８ａからなる縦方向ドライバ３８が設けられている。縦方向ドライバ３８の各スイッチング素子３８ａに対するオン／オフ指令は、出力制御部２０のＱ0〜Ｑ6の出力端子３９から出力される。すなわち、オン状態の端子３３とオン状態の端子３６の交点に位置する発光素子３２（ドット）が点灯する。
【００６１】
文字表示制御部５１内には、図２に示すように、表示パターンメモリ２５、横型文字データメモリ５２、縦型文字データメモリ５３、表示中パターンバッファ２６が形成されている。
【００６２】
表示パターンメモリ２５内には、図１８に示すように、ドット表示器１２に表示すべき文字の文字パターンを７行（Ｎ＝７）、１１列（Ｍ＝１１）の７７個のドット４１のオン／オフ状態のデータ（Ｄ00〜Ｄ100、Ｄ01〜Ｄ101、…、ＤXY、…、Ｄ06〜Ｄ106）で示した表示パターン４２が記憶されている。
【００６３】
横型文字データメモリ５２内には、ドット表示器１２に表示すべき文字の文字パターンにおいて、横方向の字画（１つの文字を構成する部材）が多い横型文字の文字コードが予め記憶されている。この横型文字として図１９（ｃ）に示す「２」や、「一」、「二」、「５」、「８」等が記憶されている。また、縦型文字データメモリ５３内には、ドット表示器１２に表示すべき文字の文字パターンにおいて、縦方向の字画が多い縦型文字の文字コードが予め記憶されている。この縦型文字として図１９（ａ）（ｂ）に示す「１」、「７」や、「０」、「８」、「６」等が記憶されている。
【００６４】
表示中パターンバッファ２６は、エレベータ制御装置７から入力された文字表示指示に含まれる１つ又は複数の文字における現在ドット表示器１２に表示中文字の１個の表示パターン４２が記憶される。
【００６５】
さらに、文字表示制御部５１内の文字データ入力部５４は、エレベータ制御装置７から信号線１５、入力端子２１を介して入力された表示指示の文字データを取込んで、受信バッファ５５をへ書込む。受信バッファ５５へ書込まれた文字データは、表示パターンメモリ２５を用いて対応する表示パターン４２に変換されて表示中パターンバッファ２６へ書込まれる。文字型判定部５６は横型文字データメモリ５２及び縦型文字データメモリ５３を参照して、表示中パターンバッファ２６に書込まれている表示パターン４２の文字型を判定する。そして、横型文字の場合には横方向優先表示部５７を起動し、縦型文字の場合には縦方向優先表示部５８を起動する。
【００６６】
横方向優先表示部５７は、横方向ドライバ３４にてドット表示器１２におけるＭ（＝１１）個の各端子３３を順番に一定時間（点灯時間）Ｔ1ずつオンして行くとともに、オンされた状態の端子３３における当該文字の表示パターン４２の縦方向のＮ個のドット（発光素子３２）の各オン／オフ状態を、縦方向ドライバ３８で縦方向に配列されたＮ（＝７）個の各端子３６に同時に印加していく。
【００６７】
縦方向優先表示部５８は、縦方向ドライバ３８にてＮ（＝７）個の各端子３６を順番に一定時間（点灯時間）Ｔ1ずつオンして行くとともに、オンされた状態の端子３６における当該文字の表示パターン４２の横方向のＭ個のドット（発光素子３２）の各オン／オフ状態を、横方向ドライバ３４で横方向に配列されたＭ個の各端子３３に同時に印加していく。
【００６８】
図３は、第１実施形態のエレベータの表示装置における文字表示制御部５１の文字表示動作を示す流れ図である。タイマ回路４０から、表示パターン４２を構成する横方向の１１個のドット（発光素子３２）の図５（ａ）に示す、点灯周期ＴSのタイマ割込みが入力（ステップＱ１）し、エレベータ制御装置７から新たな文字の表示指令が入力されると（Ｑ２）、表示パターンバッファ２６に記憶されている表示パターン４２を新たな文字の表示パターン４２に更新する（Ｑ３）。この表示パターン４２が「横型文字」の場合（Ｑ４）、横方向優先表示部５７が起動して、ドット表示器１２の横方向の１１個（＝Ｍ）の各端子３３を特定する横方向ポインタＸを左端の端子３３を示すＸ＝０に初期化する（Ｑ５）。
【００６９】
そして、横方向ドライバ３４の左からＸ番（ＲX）のスイッチング素子３４ａのみを導通（オン）する信号を出力端子３５から横方向ドライバ３４へ送出する（Ｑ６）。次に、表示中パターンバッファ２６に記憶されている表示パターン４２おけるＸ列の縦方向の７つのドット４１のオン／オフ状態のデータＤX0〜ＤX6を読出す（Ｑ７）。そして、縦方向ドライバ３８の各端子３６に接続された各スイッチング素子３８ａ（Ｙ0〜Ｙ6）に読出した各オン／オフ状態のデータＤX0〜ＤX6をＱ0〜Ｑ6の出力端子３９に設定して、出力する（Ｑ８）。その結果、ドット表示器１２のＸ列の７個の発光素子３２（ドット４１）が表示パターン４２に応じて点灯／消灯制御される。
【００７０】
そして、図５（ａ）に示す、点灯時間Ｔ1が経過すると（Ｑ９）、横方向ドライバ３４及び縦方向ドライバ３８をオフして、点灯中の全ての発光素子３２（ドット４１）を消灯して（Ｑ１０）、Ｑ１へ戻り、点灯周期ＴSのタイマ割込みが入力されるのを待つ。
【００７１】
また、Ｑ２において、エレベータ制御装置７から新たな文字の表示指令（表示文字変更）が入力されていないと、表示パターンバッファ２６に記憶されている表示パターン４２を継続して表示すると判断して、表示パターン４２の文字型を調べ、横型文字の場合（Ｑ１１）、横方向ポインタＸを更新（Ｘ＝Ｘ＋１）する（Ｑ１２）。更新後の横方向ポインタＸが右端の端子３３を示す最大値（Ｘ＝１０）を超えていなければ（Ｑ１３）、Ｑ６にて、横方向ドライバ３４の左から更新後のＸ番（ＲX）のスイッチング素子３４ａのみを導通（オン）する信号を出力端子３５から横方向ドライバ３４へ送出する。
【００７２】
更新後の横方向ポインタＸが最大値（Ｘ＝１０）を超えていれば、Ｑ５にて、横方向ポインタＸを左端の端子３３を示すＸ＝０に初期化する。
【００７３】
また、Ｑ４にて、表示パターンバッファ２６における更新された表示パターン４２が「縦型文字」の場合、縦方向優先表示部５８が起動して、ドット表示器１２の縦方向の７個（＝Ｎ）の各端子３６を特定する縦方向ポインタＹを上端の端子３６を示すＹ＝０に初期化する（Ｑ１４）。
【００７４】
そして、縦方向ドライバ３８の上からＹ番（ＱY）のスイッチング素子３８ａのみを導通（オン）する信号を出力端子３９から縦方向ドライバ３８へ送出する（Ｑ１５）。次に、表示中パターンバッファ２６に記憶されている表示パターン４２におけるＹ行の横方向の１１個のドット４１のオン／オフ状態のデータＤ0Y〜Ｄ10Yを読出す（Ｑ１６）。そして、横方向ドライバ３４の各端子３３に接続された各スイッチング素子３４ａ（Ｘ0〜Ｘ10）に読出した各オン／オフ状態のデータＤ0Y〜Ｄ10YをＲ0〜Ｒ10の出力端子３５に設定して、出力する（Ｑ１７）。その結果、ドット表示器１２のＹ行の１１個の発光素子３２（ドット４１）が表示パターン４２に応じて点灯／消灯制御される。
【００７５】
そして、図５（ｃ）に示す、点灯時間Ｔ1が経過すると（Ｑ１８）、横方向ドライバ３４及び縦方向ドライバ３８をオフして、点灯中の全ての発光素子３２（ドット４１）を消灯して（Ｑ１９）、Ｑ１へ戻り、点灯周期ＴSのタイマ割込みが入力されるのを待つ。
【００７６】
そして、Ｑ１１にて、表示パターン４２の文字型が縦型文字の場合、現在縦型文字に対する表示処理途中であるので、図４のＱ２０にて、縦方向ポインタＹを更新（Ｙ＝Ｙ＋１）する。更新後の縦方向ポインタＹが下端の端子３６を示す最大値（Ｙ＝６）を超えていなければ（Ｑ２１）、Ｑ１５へ進み、縦方向ドライバ３８の上からＹ番（ＱY）のスイッチング素子３８ａのみを導通（オン）する。
【００７７】
更新後の縦方向ポインタＹが下端の端子３６を示す最大値（Ｙ＝６）を超えると（Ｑ２１）、縦方向ポインタＹを上端の端子３６を示すＹ＝０に初期化する（Ｑ１４）。
【００７８】
図５（ａ）は、表示パターンバッファ２６に記憶されている例えば「２」、「５」、「８」等の横型文字における１つ表示パターン４２を、７行（Ｎ＝７）、１１列（Ｍ＝１１）のドット表示器１２で表示した場合における、ドット表示器１２に電源線１８から供給される電力における電流の電流変動波形を示し、図５（ｂ）は、ドット表示器１２に電源線１８から供給される電力における電圧の電圧変動波形を示す。
【００７９】
図示するように、各発光素子３１は、点灯周期ＴS、点灯時間Ｔ1、消灯時間Ｔ2（＝ＴS―Ｔ1）で順番に点灯されているので、横方向のドット数（発光素子数）である１１回点灯される１文字はＴ0（＝Ｔ1×１１）の時間で表示される。
【００８０】
一方、図５（ｃ）は、表示パターンバッファ２６に記憶されている例えば「１」、「７」、「６」等の縦型文字における１つ表示パターン４２を、同じドット表示器１２で表示した場合における、ドット表示器１２に電源線１８から供給される電力における電流のタイムチャートを示し、図５（ｄ）は、ドット表示器１２に電源線１８から供給される電力における電圧のタイムチャートを示す。
【００８１】
図示するように、各発光素子３１は、点灯周期ＴS、点灯時間Ｔ1、消灯時間Ｔ2（＝ＴS―Ｔ1）で順番に点灯されているので、縦方向のドット数（発光素子数）である７回点灯される１文字はＴ0（＝Ｔ1×７）の時間（１文字表示期間）で表示される。
【００８２】
また、図５（ｅ）に、横型文字と横型文字と連続表示した場合における、電流のタイムチャートを示す。
【００８３】
このように構成された第１実施形態のエレベータの表示装置５０においては、縦型文字に対しては、ドット表示器１２の７７個のドット（発光素子３１）をオン／オフ制御する順序を、縦方向を優先している。したがって、文字を構成する縦方向の字画は、複数の列に跨るので、１つのタイミングで点灯する発光素子３２の数が極端に大きくなることはなく分散される。したがって、図５（ｃ）、（ｄ）に示すように、異常電流、異常電圧降下が生じることを未然に防止できる。
【００８４】
同様に、横型文字に対しては、ドット表示器１２の７７個のドット（発光素子３１）をオン／オフ制御する順序を、横方向を優先している。したがって、文字を構成する横方向の字画は、複数の行に跨るので、１つのタイミングで点灯する発光素子の数が極端に大きくなることはなく分散される。したがって、図５（ａ）、（ｂ）に示すように、異常電流、異常電圧降下が生じることを未然に防止できる。
【００８５】
したがって、ドット表示器１２に対する１文字に対する１表示周期Ｔ0内に異常電圧降下が発生することが極力抑制できるので、音声システムの音声信号に周期的な雑音波形が生じることはない。よって、ドット表示器１２に対する文字表示とスピーカを用いた音声出力とを良好な状態を維持した状態で、装置全体の小型化を図ることができる。
【００８６】
（第２実施形態）
図６は本発明の第２実施形態に係わるエレベータの表示装置に組込まれた出力制御部に設けられた文字表示制御部５１ａの概略構成を示すブロック図である。図２に示す第１実施形態のエレベータの表示装置における文字表示制御部５１と同一部分には同一符号を付して、重複する部分の詳細説明を説明する。また、エレベータの表示装置の全体構成は、図１の第１実施形態とほぼ同じであり、さらに、エレベータシステムの全体図は図１５の従来のエレベータシステムとほぼ同じであるので、それぞれ、説明を省略する。
【００８７】
この第２実施形態に係わるエレベータの表示装置の文字表示制御部５１ａにおける文字型判定部５６は、横型文字データメモリ５２及び縦型文字データメモリ５３を参照して、表示中パターンバッファ２６に書込まれている表示パターン４２の文字型を判定する。そして、文字型判定部５６は、横型文字の場合には通常表示部５９を起動し、縦型文字の場合には縦方向分割表示部６０を起動する。
【００８８】
通常表示部５９は、表示中パターンバッファ２６に記憶されている横型文字の表示パターン４２を、前述した第１実施形態の横方向優先表示部５７と同一の手順で、ドット表示器１２に表示出力する。すなわち、横方向ドライバ３４にてドット表示器１２におけるＭ（＝１１）個の各端子３３を順番に一定時間Ｔ1ずつオンして行くとともに、オンされた状態の端子３３における当該文字の表示パターン４２の縦方向のＮ個のドット（発光素子３２）の各オン／オフ状態を、縦方向ドライバ３８で縦方向に配列されたＮ（＝７）個の各端子３６に同時に印加していく。
【００８９】
縦方向分割表示部６０は、表示中パターンバッファ２６に記憶されている縦型文字の表示パターン４２を、例えば図７に示すように、縦方向に上下２つの表示パターン４２ａ、４２ｂに仮想的に分割して、横方向ドライバ３４にてドット表示器１２における横方向の１つ端子３３が選択されてオン（通電）された時に、該当端子３３の縦方向に位置する７個の発光素子３２を上下２組に分割して、それぞれタイミングをずらせてオン／オフ制御する。この実施形態においては、縦型文字の表示パターン４２はＹ＝０、１、２、３の４行、１１列の上側の表示パターン４２ａと、Ｙ＝４、５、６の３行、１１列の下側の表示パターン４２ｂとに仮想的に分割される。
【００９０】
図８、図９は、第２実施形態のエレベータの表示装置における文字表示制御部５１ａの文字表示動作を示す流れ図である。タイマ回路４０から、表示パターン４２を構成する横方向の１１個のドット（発光素子３２）の図３（ａ）に示す、点灯周期ＴSのタイマ割込みが入力し（ステップＰ１）、エレベータ制御装置７から新たな文字の表示指令が入力されると（Ｐ２）、表示パターンバッファ２６に記憶されているの表示パターン４２を新たな文字の表示パターン４２に更新する（Ｐ３）。
【００９１】
そして、ドット表示器１２の横方向の１１個（＝Ｍ）の各端子３３を特定する横方向ポインタＸを左端の端子３３を示すＸ＝０に初期化する（Ｐ４）。そして、横方向ドライバ３４の左からＸ番（ＲX）のスイッチング素子３４ａのみを導通（オン）する信号を出力端子３５から横方向ドライバ３４へ送出する（Ｐ５）。
【００９２】
ここで、表示中パターンバッファ２６に記憶されている表示パターン４２の文字型を判定し、横型文字の場合は（Ｐ６）、通常表示部５９が起動して、表示中パターンバッファ２６に記憶されている表示パターン４２に対して通常表示処理を実行する。すなわち、表示中パターンバッファ２６に記憶されている表示パターン４２におけるＸ列の縦方向の７つのドット４１のオン／オフ状態のデータＤX0〜ＤX6を読出す（Ｐ７）。
【００９３】
そして、縦方向ドライバ３８の各端子３６に接続された各スイッチング素子３８ａ（Ｙ0〜Ｙ6）に読出した各オン／オフ状態のデータＤX0〜ＤX6をＱ0〜Ｑ6の出力端子３９に設定して、出力する（Ｐ８）。その結果、ドット表示器１２のＸ列の７個の発光素子３２（ドット４１）が表示パターン４２に応じて点灯／消灯制御される。
【００９４】
そして、図１０（ａ）に示す、点灯時間Ｔ1が経過すると（Ｐ９）、横方向ドライバ３４及び縦方向ドライバ３８をオフして、点灯中の全ての発光素子３２（ドット４１）を消灯して（Ｐ１０）、Ｐ１へ戻り、タイマ回路４０から点灯周期ＴSのタイマ割込みが入力されるのを待つ。
【００９５】
また、Ｐ２において、エレベータ制御装置７から新たな文字の表示指令（表示文字変更）が入力されていないと、表示パターンバッファ２６に記憶されている表示パターン４２を継続して表示すると判断して、横方向ポインタＸを更新（Ｘ＝Ｘ＋１）する（Ｐ１１）。更新後の横方向ポインタＸが右端の端子３３を示す最大値（Ｘ＝１０）を超えていなければ（Ｐ１２）、Ｐ５にて、横方向ドライバ３４の左から更新後のＸ番（ＲX）のスイッチング素子３４ａのみを導通（オン）する信号を出力端子３５から横方向ドライバ３４へ送出する。Ｐ１２にて更新後の横方向ポインタＸが最大値（Ｘ＝１０）を超えていれば、Ｐ４にて、横方向ポインタＸを左端の端子３３を示すＸ＝０に初期化する。
【００９６】
また、Ｐ６にて、表示中パターンバッファ２６に記憶されている表示パターン４２の文字型が縦型文字の場合は、縦方向分割表示部６０が起動して、図９に示す分割表示処理を行う。すなわち、表示中パターンバッファ２６に記憶されている表示パターン４２におけるＸ列の縦方向の７つのドット４１のうちの上半分の４個のドット４１のオン／オフ状態のデータＤX0〜ＤX3（図７に示す上半分の表示パターン４２ａのデータ）を読出す（Ｐ１３）。
【００９７】
そして、縦方向ドライバ３８の上半分の４個の各端子３６に接続された各スイッチング素子３８ａ（Ｙ0〜Ｙ3）に読出した各オン／オフ状態のデータＤX0〜ＤX3をＱ0〜Ｑ3の出力端子３９に設定して、出力する（Ｐ１４）。その結果、ドット表示器１２のＸ列の上側４個の発光素子３２（ドット４１）が表示パターン４２に応じて点灯／消灯制御される。
【００９８】
そして、図１０（ｂ）に示す点灯時間Ｔ1が経過すると（Ｐ１５）、横方向ドライバ３４及び縦方向ドライバ３８をオフして、点灯中の全ての発光素子３２（ドット４１）を消灯する（Ｐ１６）。
【００９９】
図１０（ｂ）に示すように、Ｐ１４の上側４個の発光素子３２の点灯開始から点灯周期ＴSの半分の点灯周期（ＴS／２）経過すると（Ｐ１７）、図７に示すように、表示中パターンバッファ２６に記憶されている表示パターン４２おけるＸ列の縦方向の７つのドット４１のうちの下半分の３個のドット４１のオン／オフ状態のデータＤX4〜ＤX6（図７に示す下半分の表示パターン４２ｂのデータ）を読出す（Ｐ１８）。
【０１００】
そして、縦方向ドライバ３８の下半分の３個の各端子３６に接続された各スイッチング素子３８ａ（Ｙ4〜Ｙ6）に読出した各オン／オフ状態のデータＤX4〜ＤX6をＱ4〜Ｑ6の出力端子３９に設定して、出力する（Ｐ１９）。その結果、ドット表示器１２のＸ列の下側３個の発光素子３２（ドット４１）が表示パターン４２に応じて点灯／消灯制御される。
【０１０１】
そして、図１０（ｂ）に示す点灯時間Ｔ1が経過すると（Ｐ２０）、横方向ドライバ３４及び縦方向ドライバ３８をオフして、点灯中の全ての発光素子３２（ドット４１）を消灯する（Ｐ２１）。
【０１０２】
以上で、縦型文字における横方向のＸ列の縦方向の７つのドット４１に対する上下２つに分割した分割表示を終了したので、Ｐ１へ戻り、タイマ回路４０による点灯周期ＴSのタイマ割込みが入力するのを待つ。
【０１０３】
このように構成された第２実施形態のエレベータの表示装置において、図１０（ａ）は、例えば「２」、「５」等の横型文字をドット表示器１２に表示した場合における１文字表示期間Ｔ0（＝ＴS×１１）の電流変動波形を示す。図１０（ｂ）に、例えば「１」、「６」、「７」等の縦型文字をドット表示器１２に表示した場合における１文字表示期間Ｔ0（＝（ＴS／２）×２×１１）の電流変動波形を示す。図１０（ｃ）に、横型文字と縦型文字とを連続表示した場合における電流変動波形を示す。
【０１０４】
したがって、ドット表示器１２に表示すべき文字が例えば「１」、「６」、「７」のような縦型文字の場合は、横方向ドライバ３４にて、ドット表示器１２における横方向の１つ端子３３が選択されてオン（通電）された時に、該当端子３３の縦方向に位置する７個の発光素子３２が上下２組に分割されて、図１０（ｂ）に示すようにそれぞれタイミングをずらせてオン／オフ制御される。その結果、同一タイミングで点灯する発光素子３２の数が、図１１に示す従来装置における最大７個から最大４個に減少できる。
【０１０５】
よって、図１０（ａ）、（ｂ）に示すように、１文字表示期間Ｔ0において、異常電流が生じることを未然に防止できるので、音声システムの音声信号に周期的な雑音波形が生じることはない。よって、前述した第１実施形態のエレベータの表示装置と同様に、ドット表示器１２に対する文字表示とスピーカ１４を用いた音声出力とを良好な状態を維持した状態で、装置全体の小型化を図ることができる。
【０１０６】
さらに、この第２実施形態においては、横型文字の１文字表示期間Ｔ0（＝ＴS×１１）と縦型文字の１文字表示期間Ｔ0（＝ＴS×１１）とは等しく設定されている。したがって、このドット表示器１２に表示された文字を見るエレベータの利用客に不快感を与えることはない。
【０１０７】
なお、本発明は、上述した第２実施形態に限定されるものではない。第２実施形態においては、入力された文字が例えば「２」等の横型文字の場合、当該文字を、通常表示部５９で、第１実施形態の横方向優先表示部５７で採用した通常手法で表示し、入力された文字が例えば「１」等の縦型文字の場合、当該文字を縦方向分割表示部６０で、当該文字の表示パターンの縦方向のＮ個のドットの各オン／オフ制御を、Ｎ／２個ずつ２回に分割して実施している。
【０１０８】
しかしながら、入力された文字が例えば「１」等の縦型文字の場合、当該文字を、第１実施形態の縦方向優先表示部５８で採用した通常手法で表示し、入力された文字が例えば「２」等の横型文字の場合、当該文字を図示しない横方向分割表示部で、当該文字の表示パターンの横方向のＭ個のドットの各オン／オフ制御を、Ｍ／２個ずつ２回に分割して実施することも可能である。
【０１０９】
このように、横型文字又は縦型文字のいずれか一方の文字型を２つに分割して表示することが可能である。
【０１１０】
（第３実施形態）
図１１は本発明の第３実施形態に係わるエレベータの表示装置に組込まれた出力制御部に設けられた文字表示制御部５１ｃの概略構成を示すブロック図である。図２に示す第１実施形態のエレベータの表示装置における文字表示制御部５１と同一部分には同一符号を付して、重複する部分の詳細説明を説明する。また、エレベータの表示装置の全体構成は図１の第１実施形態とほぼ同じであり、さらに、エレベータシステムの全体図は図１５に示す従来のエレベータシステムとほほ同じであるので、それぞれ、説明を省略する。
【０１１１】
なお、この第３実施形態においては、タイマ回路４０による点灯周期ＴSのタイマ割込みは発生しない。表示パターンメモリ２５内には、図１８に示した従来の表示パターンメモリ２５と同様に、ドット表示器１２に表示すべき文字の文字パターンを７行（Ｎ＝７）、１１列（Ｍ＝１１）の７７個のドット４１のオン／オフ状態のデータ（Ｄ00〜Ｄ100、Ｄ01〜Ｄ101、…、ＤXY、…、Ｄ06〜Ｄ106）で示した表示パターン４２が記憶されている。
【０１１２】
そして、横方向優先表示部５７は、図１２の上段のタイムチャートに従って横型文字をドット表示器１２に表示出力する。すなわち、各発光素子３２の点灯時間、消灯時間、点灯周期、１文字の表示期間は、図２１（ｃ）に示す従来装置におけるタイムチャートと同じの点灯時間Ｔ1、消灯時間Ｔ2、点灯周期ＴS、１文字の表示期間Ｔ0（＝ＴS×１１）となる。
【０１１３】
また、縦方向優先表示部５８ａは、図１２の下段のタイムチャートに従って縦型文字をドット表示器１２に表示出力する。すなわち、単位時間当たりの各発光素子３２の点灯時間、１文字の表示期間を、横型文字における単位時間当たりの点灯時間、１文字の表示期間に等しくするために、縦型文字の表示においては、各発光素子３２の点灯時間Ｔ1A、消灯時間Ｔ2A、点灯周期TSA、１文字の表示期間T0Aは、以下のように設定されている。
【０１１４】
点灯時間Ｔ1A＝（１１／７）・Ｔ1
消灯時間Ｔ2A＝（１１／７）・Ｔ2
点灯周期TSA＝（１１／７）・TS＝Ｔ1A＋Ｔ2A
１文字の表示期間T0A＝TSA×７＝（１１／７）・TS×７＝TS×１１＝Ｔ0
そして、この第３実施形態の文字表示制御部５１ｃは図１３、図１４の流れ図に従って入力された文字に対する表示動作を行う。エレベータ制御装置７から新たな文字の表示指令が入力されると（ステップＵ１）、表示パターンバッファ２６に記憶されているの表示パターン４２を新たな文字の表示パターン４２に更新する（Ｕ２）。この表示パターン４２が「横型文字」の場合（Ｕ３）、横方向優先表示部５７が起動して、ドット表示器１２の横方向の１１個（＝Ｍ）の各端子３３を特定する横方向ポインタＸを左端の端子３３を示すＸ＝０に初期化する（Ｕ４）。
【０１１５】
そして、横方向ドライバ３４の左からＸ番（ＲX）のスイッチング素子３４ａのみを導通（オン）する信号を出力端子３５から横方向ドライバ３４へ送出する（Ｕ５）。次に、表示中パターンバッファ２６に記憶されている表示パターン４２おけるＸ列の縦方向の７つのドット４１のオン／オフ状態のデータＤX0〜ＤX6を読出す（Ｕ６）。そして、縦方向ドライバ３８の各端子３６に接続された各スイッチング素子３８ａ（Ｙ0〜Ｙ6）に読出した各オン／オフ状態のデータＤX0〜ＤX6をＱ0〜Ｑ6の出力端子３９に設定して、出力する（Ｕ７）。その結果、ドット表示器１２のＸ列の７個の発光素子３２（ドット４１）が表示パターン４２に応じて点灯／消灯制御される。
【０１１６】
そして、図１２の上段のタイムチャートに示す点灯時間Ｔ1が経過すると（Ｕ８）、横方向ドライバ３４及び縦方向ドライバ３８をオフして、点灯中の全ての発光素子３２（ドット４１）を消灯する（Ｕ９）。そして、図１２の上段のタイムチャートに示す消灯時間Ｔ2が経過すると（Ｕ１０）、Ｕ１へ戻り、エレベータ制御装置７から新たな文字の表示指令が入力されたか否かを調べる。
【０１１７】
また、Ｕ１において、エレベータ制御装置７から新たな文字の表示指令（表示文字変更）が入力されていないと、表示パターンバッファ２６に記憶されている表示パターン４２を継続して表示すると判断して、表示パターン４２の文字型を調べ、横型文字の場合（Ｕ１１）、横方向ポインタＸを更新（Ｘ＝Ｘ＋１）する（Ｕ１２）。更新後の横方向ポインタＸが右端の端子３３を示す最大値（Ｘ＝１０）を超えていなければ（Ｕ１３）、Ｕ５にて、横方向ドライバ３４の左から更新後のＸ番（ＲX）のスイッチング素子３４ａのみを導通（オン）する信号を出力端子３５から横方向ドライバ３４へ送出する。
【０１１８】
更新後の横方向ポインタＸが最大値（Ｘ＝１０）を超えていれば、Ｕ４にて、横方向ポインタＸを左端の端子３３を示すＸ＝０に初期化する。
【０１１９】
また、Ｕ３にて、表示パターンバッファ２６に更新された表示パターン４２が「縦型文字」の場合、縦方向優先表示部５８ａが起動して、図１４において、ドット表示器１２の縦方向の７個（＝Ｎ）の各端子３６を特定する縦方向ポインタＹを上端の端子３６を示すＹ＝０に初期化する（Ｕ１４）。
【０１２０】
そして、縦方向ドライバ３８の上からＹ番（ＱY）のスイッチング素子３８ａのみを導通（オン）する信号を出力端子３９から縦方向ドライバ３８へ送出する（Ｕ１５）。次に、表示中パターンバッファ２６に記憶されている表示パターン４２におけるＹ行の横方向の１１個のドット４１のオン／オフ状態のデータＤ0Y〜Ｄ10Yを読出す（Ｕ１６）。そして、横方向ドライバ３４の各端子３３に接続された各スイッチング素子３４ａ（Ｘ0〜Ｘ10）に読出した各オン／オフ状態のデータＤ0Y〜Ｄ10YをＲ0〜Ｒ10の出力端子３５に設定して、出力する（Ｕ１７）。その結果、ドット表示器１２のＹ行の１１個の発光素子３２（ドット４１）が表示パターン４２に応じて点灯／消灯制御される。
【０１２１】
そして、図１２の下段のタイムチャートに示す、点灯時間Ｔ1Aが経過すると（Ｕ１８）、横方向ドライバ３４及び縦方向ドライバ３８をオフして、点灯中の全ての発光素子３２（ドット４１）を消灯する（Ｕ１９）。そして、図１２の下段のタイムチャートに示す消灯時間Ｔ2Aが経過すると（Ｕ２０）、Ｕ１へ戻り、エレベータ制御装置７から新たな文字の表示指令が入力されたか否かを調べる。
【０１２２】
そして、Ｕ１１にて、表示パターン４２の文字型が縦型文字の場合、現在縦型文字に対する表示処理途中であるので、図１４のＵ２１にて、縦方向ポインタＹを更新（Ｙ＝Ｙ＋１）する。更新後の縦方向ポインタＹが下端の端子３６を示す最大値（Ｙ＝６）を超えていなければ（Ｕ２２）、Ｕ１５へ進み、縦方向ドライバ３８の上からＹ番（ＱY）のスイッチング素子３８ａのみを導通（オン）する。
【０１２３】
更新後の縦方向ポインタＹが下端の端子３６を示す最大値（Ｙ＝６）を超えると（Ｕ２２）、縦方向ポインタＹを上端の端子３６を示すＹ＝０に初期化する（Ｕ１４）。
【０１２４】
このように構成された第３実施形態のエレベータの表示装置においては、縦型文字に対しては、縦方向優先表示部５８ａにおいて、ドット表示器１２の７７個のドット（発光素子３１）をオン／オフ制御する順序について、縦方向を優先している。また、横型文字に対しては、横方向優先表示部５７において、ドット表示器１２の７７個のドット（発光素子３１）をオン／オフ制御する順序について、横方向を優先している。したがって、先に説明した、第１実施形態のエレベータの表示装置とほぼ同様の作用効果を奏することができる。
【０１２５】
さらに、この第３実施形態のエレベータの表示装置においては、縦型文字の表示に際しての単位時間当たりの各発光素子３２の点灯時間、１文字の表示期間を、横型文字における単位時間当たりの点灯時間、１文字の表示期間に等しく設定している。
【０１２６】
したがって、各文字の表示サイクル、各文字の輝度、ちらつき等が縦型文字及び横型文字にかかわらず均一となり、エレベータの利用者にとって、非常に見やすい表示装置とすることができる。
【図面の簡単な説明】
【０１２７】
【図１】本発明の第１実施形態に係わるエレベータの表示装置の概略構成を示す回路図
【図２】同実施形態のエレベータの表示装置に組込まれた文字表示制御部の詳細構成を示すブロック図
【図３】同表示装置の文字表示制御部の文字表示動作を示す流れ図
【図４】同じく同表示装置の文字表示制御部の文字表示動作を示す流れ図
【図５】同実施形態のエレベータの表示装置における電流、電圧変動波形を示す図
【図６】本発明の第２実施形態に係わるエレベータの表示装置に組込まれた文字表示制御部の詳細構成を示すブロック図
【図７】同実施形態のエレベータの表示装置における縦方向分割表示の動作原理を説明するための図
【図８】同表示装置の文字表示制御部の文字表示動作を示す流れ図
【図９】同じく同表示装置の文字表示制御部の文字表示動作を示す流れ図
【図１０】同実施形態のエレベータの表示装置における電流変動波形を示す図
【図１１】本発明の第３実施形態に係わるエレベータの表示装置に組込まれた文字表示制御部の詳細構成を示すブロック図
【図１２】同実施形態のエレベータの表示装置における横型文字及び縦型文字に対する表示タイムチャート
【図１３】同表示装置の文字表示制御部の文字表示動作を示す流れ図
【図１４】同じく同表示装置の文字表示制御部の文字表示動作を示す流れ図
【図１５】建屋に組込まれている一般的なエレベータシステムの概略構成図
【図１６】エレベータのかご内に設けられた表示装置の外観図
【図１７】従来のエレベータの表示装置の概略構成を示す回路図
【図１８】同エレベータの表示装置内に設けられた表示パターンメモリの記憶内容を示す図
【図１９】同表示パターンメモリに記憶された各文字の表示パターンを示す図
【図２０】同エレベータの表示装置の文字表示動作を示す流れ図
【図２１】同エレベータの表示装置における電流、電圧変動波形を示す図
【図２２】同エレベータの表示装置に組込まれた音声システムにおける音声信号の波形図
【符号の説明】
【０１２８】
２…かご、４…巻上機、６…電源装置、７…エレベータ制御装置、９，１１，５０…表示装置、１２…ドット表示器、１３…移動方向表示器、１４…スピーカ、１５…伝送線、１８…電源線、２０…出力制御部、２２…音声出力制御部、２３…方向指示器制御部、２５…表示パターンメモリ、２６…表示中パターンメモリ、２８…音声合成回路、３２…発光素子、３３，３６…端子、３４…横方向ドライバ、３８…縦方向ドライバ、４０…タイマ回路、４１…ドット、４２…表示パターン、４３…異常電流、４４…異常電圧降下、４５…雑音波形、５１，５１ａ，５１ｂ…文字表示制御部、５２…横型文字データメモリ、５３…縦型文字データメモリ、５６…文字型判定部、５７…横方向優先表示部、５８，５８ａ…縦方向優先表示部、５９…通常表示部、６０…縦方向分割表示部
【図１】
2007084234.tif 000003
【図２】
2007084234.tif 000004
【図３】
2007084234.tif 000005
【図４】
2007084234.tif 000006
【図５】
2007084234.tif 000007
【図６】
2007084234.tif 000008
【図７】
2007084234.tif 000009
【図８】
2007084234.tif 000010
【図９】
2007084234.tif 000011
【図１０】
2007084234.tif 000012
【図１１】
2007084234.tif 000013
【図１２】
2007084234.tif 000014
【図１３】
2007084234.tif 000015
【図１４】
2007084234.tif 000016
【図１５】
2007084234.tif 000017
【図１６】
2007084234.tif 000018
【図１７】
2007084234.tif 000019
【図１８】
2007084234.tif 000020
【図１９】
2007084234.tif 000021
【図２０】
2007084234.tif 000022
【図２１】
2007084234.tif 000023
【図２２】
2007084234.tif 000024